(57)【特許請求の範囲】
【請求項１】
液体供給ラインに連結され、流入された液体を濾過し、流出する医療用フィルター装置において、
前記液体供給ラインに連通する流入口を有しており、該流入口を通し流入された液体をフィルター装置の内部空間へ流動させる流入管と、
前記流入管と連通して外部に通じるフィルターハウジングと、
前記フィルターハウジングと連通する流出口を有しており、前記流入管と対向する位置に配置され、前記フィルターハウジング内部に垂直方向への空間が形成されるよう前記流入管に対して略平行になるよう離隔され、前記フィルターハウジングから流れ出た液体を外部へ移送する流出管と、
前記流入管と前記フィルターハウジング内部の垂直方向への空間の間に位置し、前記流入口を通し流入された液体の固体不純物を取り除く親水性フィルターと、
前記フィルターハウジングに提供される少なくとも一つの気体排出孔に対応して位置し、前記親水性フィルターを通過する前、または前記親水性フィルターを通過した後、または前記親水性フィルターの通過前後において、前記流入された液体内の気体を外部に排出する少なくとも一つの疏水性フィルターと、
前記親水性フィルターを通過した液体内の気体が前記流出管に流入されるのを遮断する遮断部材であって、前記フィルターハウジング内部に前記流出管を遮断するように設けられ、その中心部には長手方向に通路が形成され、該通路を通し液体が前記流出管に導入され流れ出る遮断部材を含み、
前記遮断部材は、前記フィルターハウジング内部にて液体と接触する先端部と、前記流出管と結合する流出管結合部と、該流出管と連結される延長チューブと接触する末端部とを含み、 前記先端部は、前記フィルターハウジング内部に向かって次第にその大きさが小さくなるテーパ状とすることと、その内径は前記末端部の内径より小さいことを特徴とする、医療用フィルター装置。
【請求項２】
前記フィルターハウジングは、結合分離可能な上部フィルターハウジングと下部フィルターハウジングとで構成されることを特徴とする、請求項１に記載の医療用フィルター装置。
【請求項３】
前記上部フィルターハウジングは、前記流出管に連結され、前記下部フィルターハウジングは、前記流入管に連結されることを特徴とする、請求項２に記載の医療用フィルター装置。
【請求項４】
前記下部フィルターハウジングの上面には、上部に突出された環状の突出部または環状の凹入部が形成され、これに各々対応して前記上部フィルターハウジングの下面には環状の凹入部または下部に突出された環状の突出部が形成され、前記フィルターハウジングは前記下部フィルターハウジングの突出部または凹入部と、これに各々対応する前記上部フィルターハウジングの凹入部または突出部を嵌め合わすことにより結合されることを特徴とする、請求項２に記載の医療用フィルター装置。
【請求項５】
前記下部フィルターハウジングの突出部または凹入部の内側面と前記上部フィルターハウジングの凹入部または突出部の内側面との間に親水性フィルターが位置して固定されることを特徴とする、請求項４に記載の医療用フィルター装置。
【請求項６】
前記上部フィルターハウジングと前記下部フィルターハウジングのうち、少なくとも一つには、少なくとも一つの気体排出孔が形成され、該気体排出孔が形成されたフィルターハウジングの外部または内部には、前記気体排出孔に対応して前記疏水性フィルターと、該疏水性フィルターを前記フィルターハウジングの外部または内部に固定させ、気体を外部に排気する孔が形成された固定手段と、を含む気体排出部が提供されることを特徴とする、請求項２に記載の医療用フィルター装置。
【請求項７】
前記気体排出孔が形成されたフィルターハウジングの外部には環状に突出されたフィルター座面が形成され、該フィルター座面には前記疏水性フィルターが位置し、前記疏水性フィルターが離脱されずに固定されるよう前記フィルター座面の周囲には環状の凹溝が形成されており、前記気体排出部の固定手段には前記環状の凹溝に合った形状の突出部が形成されていることを特徴とする、請求項６に記載の医療用フィルター装置。
【請求項８】
前記気体排出孔が形成されたフィルターハウジングの内部には凹入されたフィルター座面が形成され、前記フィルター座面には前記疏水性フィルターが位置し、前記疏水性フィルターが離脱されずに固定されるよう前記フィルター座面の周囲には段差付け挿入部が形成されており、前記気体排出部の固定手段は、前記段差付け挿入部に対応して段差付けになるよう形成されていることを特徴とする、請求項６に記載の医療用フィルター装置。
【請求項９】
前記流出管は、その内壁に離脱防止顎が形成されており、前記遮断部材の流出管結合部には環状の凹溝が形成されており、前記遮断部材の流出管結合部の凹溝は、前記流出管の離脱防止顎に引っ掛ける形で結合されることを特徴とする、請求項１に記載の医療用フィルター装置。
【請求項１０】
前記流出管は、その内壁に離脱防止顎が形成されており、前記遮断部材の流出管結合部の外径は前記離脱防止顎の内径にぴったりに形成され、前記遮断部材の末端部の外径は前記流出管の内径にぴったりになるよう形成されていることを特徴とする、請求項１に記載の医療用フィルター装置。
【請求項１１】
前記遮断部材の末端部は、前記流出管に連結された延長チューブと直接接触したり、延長チューブ内に設けられた毛細管と面接触により密着して接触することを特徴とする、請求項１に記載の医療用フィルター装置。
【請求項１２】
前記延長チューブ内には前記毛細管が固定支持され、前記毛細管からの液体が通過可能な端段が設けられ、前記毛細管は“O”文字状の環に嵌められ、前記流出管と前記延長チューブとの結合部位に密着して固定されることを特徴とする、請求項１１に記載の医療用フィルター装置。
【請求項１３】
前記遮断部材の長手方向通路は、前記フィルターハウジング内部から前記流出管に向かうにつれてその内径が少しずつ大きくなるテーパ状を有することを特徴とする、請求項１に記載の医療用フィルター装置。
【請求項１４】
前記遮断部材の先端部側の長手方向通路の内径は0.4mmであって、前記遮断部材の末端部側の長手方向通路の内径は0.8mmであることを特徴とする、請求項１３に記載の医療用フィルター装置。
【請求項１５】
前記遮断部材の先端部は、前記フィルターハウジング内に突出された形態で位置することを特徴とする、請求項１に記載の医療用フィルター装置。
【請求項１６】
請求項１ないし請求項１５記載のうち、いずれかの項に定義された医療用フィルター装置を具備することを特徴とする、注射液注入装置。
【発明の詳細な説明】
【技術分野】
【０００１】
本発明は、フィルター装置に関するものであって、さらに詳しくは、薬物のような液体内に含まれた空気および固体パーティクルのような不純物を効果的に取り除き、かつ薬物内の空気がフィルター装置に連結された延長チューブに流入されることがなく、ガラス破片のような固体パーティクルを取り除く親水性フィルターの表面積を最大限に確保し、薬物が通過する時、流速が遅くならないようにするフィルター装置に関する。
【０００２】
また、本発明は、延長チューブ内の毛細管をフィルター装置と接着剤を利用して密封連結した場合、接着剤成分の異物がフィルター装置および／または毛細管に流入されるという問題を事前に遮断することができるフィルター装置に関する。
【０００３】
さらに、本発明は、このようなフィルター装置を含む注射液注入装置に関する。
【背景技術】
【０００４】
一般に、患者には注射液を持続的に注入しなければならない場合が多い。この時、注射液注入装置が用いられるが、注射液注入装置は注射液に含まれた異物と空気などを取り除くため、フィルター装置を含む。
【０００５】
図１２は、従来の注射液注入装置の一例を示す斜視図であって、これは米国特許登録番号第４，７８１，６９８号で参照することができる。
【０００６】
注射液注入装置（１０００）は、注射液が保存されている瓶やパック（ｐａｃｋ）のような注射液保存手段（１０２）と、該注射液保存手段（１０２）から延長されるよう具備され、注射液保存手段（１０２）から供給される注射液が移送される可撓性の延長チューブ（１０４）を具備する。延長チューブ（１０４）上にはその上流側端部に注射液保存手段（１０２）側に一部挿入され、注射液が点滴される点滴部（１０６）が一体化するよう具備されており、また、その中間部分には延長チューブ（１０４）に沿って流れる注射液の流れを遮断し、注入される注射液の量を調節するようにする調節手段（１０８）が具備されており、また、供給される注射液内の異物と空気を取り除くためのフィルター装置（１００）が具備されており、当該延長チューブ（１０４）の終端部には患者の身体内に挿入される注射針（Ｎ）が脱着可能に結合されるようになる末端接続具（１１０）が具備されている。
【０００７】
ここで、延長チューブ（１０４）は、注射液の全体の移動経路において、全て同一の内径を有するように備えられ、前述した延長チューブ（１０４）の末端接続具（１１０）には前述した注射針（Ｎ）の他にもよく知られたカテーテル（ｃａｔｈｅｔｅｒ）などを結合することもできる。前述した末端接続具（１１０）には、その使用前に、汚染防止のため、キャップ（ｃａｐ）（図示しない）を結合させ、使用時に該キャップを分離して廃棄し、注射針（Ｎ）やカテーテルを結合させる。
【０００８】
また、使用者（看護師等）が注射針（Ｎ）を患者の人体内に挿入した後、調節部（１０８）を利用して注入量を調節完了すれば、注射液保存手段（１０２）内部に保存されていた注射液が少量ずつ排出供給され、延長チューブ（１０４）に沿って流れた後、結局は末端接続具（１１０）に結合されている注射針（Ｎ）を通し患者の人体内に注入される。
【０００９】
一方、注射液が患者の人体内に注入されるとき、注射液とともに異物（例えば、ガラスアンプルを開封する時に発生するガラス破片）や空気が一緒に注入されると、患者の血管や脳に損傷を与えてしまい、致命的な危険を招くおそれがある。したがって、これを防止するために延長チューブ（１０４）の経路上には前述したフィルター装置（１００）が具備され、フィルター装置（１００）と連結される延長チューブ（１０４）の末端部内部には毛細管が具備される。延長チューブ（１０４）の末端部内部に設けられた毛細管は、抗ガン剤や抗生剤のように薬物の注入速度が速かった場合、患者の臓器に致命的な損傷を誘発するといった薬物の過度な注入を防止する。
【００１０】
前述した注射液注入装置（１０００）を構成するフィルター装置（１００）に関する従来技術のうちの１つが図１３に図示されている。図１３の断面図を参照すると、フィルター装置（１００）は、内部に所定の空間部が形成されるよう互いに離隔され、平行になるよう外側に具備される合成樹脂材質のフィルター収容板（１００ａ−１、１００ａ−２）を具備し、両側のフィルター収容板（１００ａ−１、１００ａ−２）の両端部が集められ、延長チューブ（１０４）に各々内部的に連通して結合されるよう構成されている。
【００１１】
両側フィルター収容板（１００ａ−１、１００ａ−２）が形成する内部空間部には２つの薄いシート（ｓｈｅｅｔ）状フィルター（１００ｂ−１、１００ｂ−２）が平行するように収容されている。注射液が流入される側には液体親和型フィルター（１００ｂ−１）が具備されており、その次には気体親和型フィルター（１００ｂ−２）が具備されているが、前記フィルター（１００ｂ−１、１００ｂ−２）は所定のメッシュ（ｍｅｓｈ）を有する多孔性の合成樹脂材質からなる。また、気体親和型フィルター（１００ｂ−２）が具備される側のフィルター収容板（１００ａ−２）上には対応する箇所に空気排出孔（１００ａ−２−１）が形成されている。
【００１２】
したがって、図１３に図示するような従来のフィルター装置（１００）においては、注射液保存手段（１０２）から供給される注射液がフィルター装置（１００）内に流入されると、液体親和型フィルター（１００ｂ−１）を通過しながら、当該注射液に含まれているガラス破片のような異物を取り除くことができ、当該注射液が次に気体親和型フィルター（１００ｂ−２）を通過すると、注射液内の空気が気体親和型フィルター（１００ｂ−２）を通過した後、空気排出孔（１００ａ−２−１）を通し外部に排出される方式を採択している。しかしながら、このような従来のフィルター装置は２つのフィルター（１００ｂ−１、１００ｂ−２）が注射液の流動通路を遮断し、注射液の流速が低下してしまうという問題点があるばかりでなく、注射液内の空気が気体親和型フィルター（１００ｂ−２）を通過した後、空気排出孔（１００ａ−２−１）を通し完全に排出されずに延長チューブ（１０４）に一部が流入されてしまうという構造的な限界を有する。また、延長チューブ（１０４）の末端部の内部に設けられる毛細管がフィルター装置（１００）と密封連結されなければならないが、この時、接着剤成分の異物がフィルター装置および／または毛細管に流入されるという問題が発生するようになる。
【００１３】
このような問題点を克服するため、本発明者は、新たな構成のフィルター装置とこれらを具備した注射液注入装置を提示したところがある。この新たな装置は薬物内の空気とガラス破片のような固体不純物を効果的に取り除くよう構成されている。このような新たな装置の例が大韓民国特許出願第１０−２００６−００３３０２７号（大韓民国公開特許公報第１０−２００７−０１０１６７０号）（以下、“特許文献１”とする）および大韓民国特許出願第１０−２００７−００５１３３４号（大韓民国公開特許公報第１０−２００８−０１０４４８７号）（以下、“特許文献２”とする）に開示されている。これらフィルター装置が優れた技術ではあるものの、他の優秀な技術がそうであるように次々とさらなる改善が試みられ得る。
【００１４】
特に、本発明が属する技術分野においては、薬物内の空気およびガラス破片のような固体不純物を効果的に取り除くと同時に薬物の流速の変化を最小化し、かつ延長チューブ内の毛細管と接着剤無しで密封連結することができるフィルター装置の開発に対するニーズがひとえに持続している。
【先行技術文献】
【特許文献】
【００１５】
【特許文献１】大韓民国公開特許公報第１０−２００７−０１０１６７０号
【特許文献２】大韓民国公開特許公報第１０−２００８−０１０４４８７号
【発明の概要】
【発明が解決しようとする課題】
【００１６】
本発明は、薬物のような液体内に含まれた空気および固体パーティクルのような不純物を効果的に取り除き、かつ薬物内の空気がフィルター装置に連結された延長チューブに流入されることがなく、ガラス破片のような固体パーティクルを取り除く親水性フィルターの表面積を最大限に確保し、薬物が通過する時、流速が遅くならないようにするフィルター装置およびこのようなフィルター装置を含む注射液注入装置を提供することにその目的がある。
【００１７】
また、本発明は、延長チューブ内の毛細管をフィルター装置と接着剤を用いて密封連結した場合、接着剤成分の異物がフィルター装置および／または毛細管に流入されるという問題を事前に遮断することができるフィルター装置およびこのようなフィルター装置を含む注射液注入装置を提供することにその目的がある。
【課題を解決するための手段】
【００１８】
液体供給ラインに連結され流入された液体を濾過し、流出する本発明のフィルター装置は、
前記液体供給ラインに連通する流入口を有しており、前記流入口を通し流入された液体をフィルター装置の内部空間に流動させる流入管と、
前記流入管と連通して外部に通じるフィルターハウジングと、
前記フィルターハウジングと連通する流出口を有しており、前記流入管と対向する位置に配置され、前記フィルターハウジング内部に垂直方向への空間が形成されるように前記流入管に対して略平行になるよう離隔され、前記フィルターハウジングから流れ出た液体を外部へ移送する流出管と、
前記流入管と前記フィルターハウジング内部の垂直方向への空間の間に位置し、前記流入口を通し流入された液体の固体不純物を取り除く親水性フィルターと、
前記フィルターハウジングに提供される少なくとも１つの気体排出孔に対応して位置し、前記親水性フィルターを通過する前、または前記親水性フィルターを通過した後、または前記親水性フィルターの通過前後において、前記流入された液体内の気体を外部に排出する少なくとも１つの疏水性フィルターと、
前記親水性フィルターを通過した液体内の気体が前記流出管に流入されるのを遮断する遮断部材であって、前記フィルターハウジング内部に前記流出管を遮断するよう設けられ、その中心部には長手方向に通路が形成され、該通路を通し液体が前記流出管に導入され流れ出る遮断部材を含む。
【００１９】
本発明のフィルター装置の一実施例において、前記フィルターハウジングは結合分離可能な上部フィルターハウジングと下部フィルターハウジングとから構成されることができる。例えば、前記上部フィルターハウジングは前記流出管に連結することができ、前記下部フィルターハウジングは前記流入管に連結することができる。
本発明のフィルター装置の一実施例において、前記下部フィルターハウジングの上面には上部に突出された環状の突出部または環状の凹入部が形成されることができ、これに各々対応して前記上部フィルターハウジングの下面には環状の凹入部または下部に突出された環状の突出部が形成されることができる。前記フィルターハウジングは前記下部フィルターハウジングの突出部または凹入部と、これに各々対応する前記上部フィルターハウジングの凹入部または突出部を嵌め合わすことにより結合されることができ、この時、前記下部フィルターハウジングの突出部または凹入部の内側面と前記上部フィルターハウジングの凹入部または突出部の内側面との間に親水性フィルターが位置して固定される。したがって、前記親水性フィルターは前記フィルターハウジングの内部を上部フィルターハウジングの空間と下部フィルターハウジングの空間とに分離する。
【００２０】
本発明のフィルター装置の一実施例において、前記フィルターハウジング内部の垂直方向への空間の横断面積は、前記親水性フィルターが横断しながら位置することができる程度の大きさを有さなければならない。好ましくは前記フィルターハウジング内部の垂直方向への空間の横断面積と前記親水性フィルターの表面積は大きいほど良い。これは前記親水性フィルターが固体不純物を取り除き、かつ前記流入管を通し流入された液体の流速が遅くならないようにするためである。
【００２１】
本発明のフィルター装置の一実施例において、少なくとも１つの気体排出孔は前記上部フィルターハウジングおよび／または前記下部フィルターハウジングに形成されることができる。
【００２２】
また、本発明のフィルター装置の一実施例において、前記気体排出孔が形成されたフィルターハウジングの外部または内部には、前記気体排出孔に対応して前記疏水性フィルターと、前記疏水性フィルターを前記フィルターハウジングの外部または内部に固定させ、気体を外部に排気する孔が形成された固定手段を含む気体排出部が提供されることができる。
【００２３】
具体として、前記気体排出孔が形成されたフィルターハウジングの外部には環状に突出されたフィルター座面が形成されることができ、このようなフィルター座面には前記疏水性フィルターが位置することができる。また、前記疏水性フィルターが離脱されずに固定されるよう前記フィルター座面の周囲には環状の凹溝が形成されており、前記気体排出部の固定手段には前記環状の凹溝に合う形状の突出部が形成されている。したがって、前記気体排出部の固定手段の突出部を前記環状の凹溝に嵌めると前記疏水性フィルターが離脱することなく固定される。したがって、本発明のフィルター装置の一実施例においては、前記フィルターハウジングに流入された液体内の気体が、前記フィルターハウジングに形成された少なくとも１つの気体排出孔、疏水性フィルター、また、前記気体排出部の固定手段に形成された孔を通し外部に排出されるようになる。
【００２４】
代案として、前記気体排出孔が形成されたフィルターハウジングの内部には凹入されたフィルター座面が形成されることができ、前記フィルター座面には前記疏水性フィルターが位置することができる。また、前記疏水性フィルターが離脱されずに固定されるよう前記フィルター座面の周囲には段差付け挿入部が形成されており、前記気体排出部の固定手段は、前記段差付け挿入部に対応して段差付けになるように形成されている。したがって、  段差付けに形成された前記気体排出部の固定手段を前記段差付け挿入部に嵌めると前記疏水性フィルターが離脱されずに固定される。故に、本発明のフィルター装置のもう１つの実施例では、前記フィルターハウジングに流入された液体内の気体が前記気体排出部の固定手段に形成された孔、疏水性フィルター、また、前記フィルターハウジングに形成された少なくとも１つの気体排出孔を通し外部に排出されるようになる。
【００２５】
本発明のフィルター装置の一実施例において、前記遮断部材は前記フィルターハウジング内部にて液体と接触する先端部と、前記流出管と結合される流出管結合部と、前記流出管に連結される延長チューブと接触する末端部を含む。
【００２６】
本発明では遮断部材のこのような構成により前記流出管に液体内の気体が流入されるのを効果的に遮断することができる。すなわち、フィルターハウジング空間の広い空間にて流動する注射液が突然狭くなる遮断部材の通路に流入された時、遮断部材の前記先端部に注射液が一度接触すると注射液の液体成分（Ｌ）は長手方向通路を通し流出管に導入され流れ出ることができるが、注射液内の気体（Ｇ）は遮断部材の前記先端部に注射液の液体成分が一旦接触すると遮断部材の長手方向通路が狭いため流入されなくなる。したがって、本発明のフィルター装置は注射液内に含まれた気体（Ｇ）および固体パーティクル（Ｐ）のような不純物を効果的に取り除き、かつ注射液内の気体（Ｇ）がフィルター装置に連結された延長チューブに流入されることのない効果を表すものである。
【００２７】
選択的に、前記先端部は、前記フィルターハウジング内部に向かってその大きさが小さくなるテーパ状を取ることができ、その内径は前記末端部の内径より小さいこともある。すなわち、前記遮断部材の長手方向通路は前記フィルターハウジング内部から前記流出管に向かうにつれてその内径が少しずつ大きくなるテーパ状を有することができる。例えば、前記遮断部材の先端部側の長手方向通路の内径は、略０．４ｍｍであり、前記遮断部材の末端部側の長手方向通路の内径は略０．８ｍｍとすることができる。このように前記遮断部材の長手方向通路が前記フィルターハウジング内部から前記流出管に向かうにつれてその内径が少しずつ大きくなるテーパ状を有した場合、液体は流出管に導入され容易に流れ出るようにし、かつ空気は効果的に遮断するというさらなる長所がある。
【００２８】
また、前記流出管はその内壁に離脱防止顎が形成されており、前記遮断部材の流出管結合部には選択的に環状の凹溝が形成されており、前記末端部は前記流出管の内径にぴったりに形成することができる。したがって、前記遮断部材の流出管結合部の凹溝は、前記流出管の離脱防止顎に引っ掛ける形で結合され、前記末端部は前記流出管の内径にぴったりとし、前記遮断部材が前記流出管から離脱されることを防止することができる。
【００２９】
しかしながら、本発明はこれに制限されるものでなく、前記先端部が長い円筒状をなす遮断部材を含むのはもちろんであり、前記先端部の内径および前記末端部の内径がほぼ同じ形態であるなど、多様な形態の遮断部材を含むことができる。一方、このような場合には前記遮断部材の流出管結合部の外径は前記離脱防止顎の内径にぴったりに形成され、前記遮断部材の末端部の外径は前記流出管の内径にぴったりに形成されればよい。
【００３０】
本発明のフィルター装置の一実施例において、前記遮断部材の末端部は前記流出管に連結された延長チューブと直接接触したり、延長チューブ内に設けられた毛細管と面接触により密着して接触することができる。
【００３１】
例えば、前記延長チューブ内には前記毛細管が固定支持され、前記毛細管からの液体が通過可能な端段を設けることができ、前記毛細管は“Ｏ”文字状の環に嵌められ、前記流出管と前記延長チューブの結合部位に密着して固定することができる。このように前記遮断部材の末端部と毛細管間との密着接触により毛細管がフィルター装置に密封結合されるため、別途に接着剤を使用して毛細管をフィルター装置のチューブに結合する必要がなくなる。しかしながら、本発明はこれに制限されるものでなく、前記流出管の末端部に延長チューブが多様な方式で結合されることを含むことができることを本発明が属する技術分野の当業者ならば容易に理解するはずである。
【００３２】
本発明のフィルター装置の一実施例において、前記遮断部材は前記上部フィルターハウジング内に位置することができる。したがって、前記遮断部材の先端部は前記上部フィルターハウジング内に突出された形態で位置することができる。
【００３３】
本発明のフィルター装置の一実施例において、前記遮断部材はシリコン材質やプラスチック材質で形成されるのが好ましい。より一層好ましいものとしては、シリコン材質が良い。
【００３４】
また、本発明の注射液注入装置は、前述したようなフィルター装置を具備することを特徴とする。
【発明の効果】
【００３５】
本発明によれば、薬物のような液体内に含まれた空気および固体パーティクルのような不純物を効果的に取り除き、かつ薬物内の空気がフィルター装置に連結された延長チューブに流入されることがなく、ガラス破片のような固体パーティクルを取り除く親水性フィルターの表面積を最大限に確保し、薬物が通過する時、流速が遅くならないようにする長所がある。
【００３６】
また、本発明は延長チューブ内の毛細管をフィルター装置と接着剤を利用して密封連結した場合、接着剤成分の異物がフィルター装置および／または毛細管に流入されるという問題を事前に遮断することができる。
【図面の簡単な説明】
【００３７】
【図１】本発明の第１の実施例のフィルター装置（１００）が結合された状態の斜視図である。
【図２】本発明の第１の実施例のフィルター装置（１００）が分解された状態の分解斜視図である。
【図３】本発明の第１の実施例のフィルター装置（１００）が結合された状態の縦断面図である。
【図４】本発明の第１の実施例のフィルター装置（１００）が分解された状態の縦断面図である。
【図５】図５の（ａ）および（ｂ）は各々本発明の第１の実施例のフィルター装置（１００）に内蔵される遮断部材（３０）の斜視図および縦断面図である。
【図６】図６の（ａ）および（ｂ）は各々本発明の第１の実施例のフィルター装置（１００）の流出管（２２）に連結される延長チューブ（６０）に内蔵される毛細管（４０）に嵌められる“Ｏ”文字状の環（５０）の斜視図および縦断面図である。
【図７】本発明の第２の実施例のフィルター装置（１００’）が結合された状態の上部斜視図である。
【図８】本発明の第２の実施例のフィルター装置（１００’）が結合された状態の下部斜視図である。
【図９】本発明の第２の実施例のフィルター装置（１００’）が分解された状態の分解斜視図である。
【図１０】本発明の第２の実施例のフィルター装置（１００’）が結合された状態の縦断面図である。
【図１１】本発明の第２の実施例のフィルター装置（１００’）が分解された状態の縦断面図である。
【図１２】従来の注射液注入装置を示す斜視図である。
【図１３】従来のフィルター装置を示す断面図である。
【発明を実施するための形態】
【００３８】
以下、添付の図面を参照に発明の好ましい実施例を説明すれば、次の通りである。本発明の下記の実施例は、本発明を具体化するためだけのものであって、本発明の権利範囲を制限したり限定したりするものでないのはもちろんである。本発明の詳細な説明および実施例から本発明が属する技術分野の専門家が容易に類推することができるものは、本発明の権利範囲に属するものと解釈される。本発明にて引用された参考文献は、本発明に参考として統合される。
【００３９】
図１ないし図６に図示されたような本発明の第１の実施例のフィルター装置（１００）は、点滴瓶等に連結されて延長されるチューブと、患者側に挿入される注射針やカテーテルなどが脱着可能に結合される末端接続具または延長チューブとの間に設けられる。図２に示すように、本発明の第１の実施例のフィルター装置（１００）は大きく流入管（１２）と、下部フィルターハウジング（１０）と、親水性フィルター部（１２４）と、気体排出孔（２２４）が形成された上部フィルターハウジング（２０）と、流出管（２２）と、遮断部材（３０）とで構成されている。また、本発明の第１の実施例のフィルター装置（１００）の上部フィルターハウジング（２０）には前記気体排出孔（２２４）に対応して疏水性フィルター（２９ｂ）と、前記疏水性フィルター（２９ｂ）を前記上部フィルターハウジング（２０）の外部に固定させて気体を外部に排気する孔（２２８）が形成された固定手段（２９ａ）を含む気体排出部（２９）が提供されている。
【００４０】
図１ないし図４に示すように、流入管（１２）はその一端に流入側注射液供給ラインに連通する流入口（１２０）を有しており、もう１つの一端には流入口（１２０）を通し流入された注射液を下部フィルターハウジング（１０）に導入する通路（１２１）を有する。図３に示すように、前記通路（１２１）は流入口（１２０）より狭く形成されているが、本発明はこれに制限されるものでないことを本発明が属する技術分野の当業者ならば容易に理解するはずである。
【００４１】
図２に示すように、本発明の第１の実施例のフィルター装置（１００）において、フィルターハウジングは互いに結合分離が可能な下部フィルターハウジング（１０）と上部フィルターハウジング（２０）とで構成される。下部フィルターハウジング（１０）および上部フィルターハウジング（２０）は、各々流入管（１２）および流出管（２２）と連通している。すなわち、図４に示すように、下部フィルターハウジング（１０）は、流入管（１２）に連結され、上部フィルターハウジング（２０）は流出管（２２）に連通して連結されていることが分かる。
【００４２】
図２ないし図４に示すように、前記下部フィルターハウジング（１０）には円盤状の胴体（１４）が形成されているが、その一側には流入管（１２）が連結されており、その上面には上部に突出された環状の突出部（１６ａ）が形成されている。
【００４３】
上部フィルターハウジング（２０）もやはり円盤状の胴体（２４）が形成されているが、その一側には流出管（２２）が連結されている（図２および図３参照）。流出管（２２）は上部フィルターハウジング（２０）と連通する流出口（２２０ｃ）を有しており（図４参照）、流入管（１２）と対向する位置に配置され、フィルターハウジング内部に垂直方向への空間［すなわち、下部フィルターハウジング空間（１２２）および上部フィルターハウジング空間（２２２）］を形成するように流入管（１２）に対し略平行に垂直方向に離隔している。流出管（２２）は流入口（１２０）、下部フィルターハウジング空間（１２２）、親水性フィルター（１２４）、上部フィルターハウジング空間（２２２）、また、遮断部材（３０）から流れ出た注射液を外部へ移送する。
【００４４】
また、図３および図４に示すように、上部フィルターハウジング（２０）下面には環状の凹入部（２４０）が形成されている。前述したような下部フィルターハウジング（１０）の突出部（１６ａ）と上部フィルターハウジング（２０）の凹入部（２４０）を嵌め合わすことによりフィルターハウジングが着脱可能に結合されることができる。この時、下部フィルターハウジング（１０）の突出部（１６ａ）の内側面（１６ｂ）と上部フィルターハウジング（２０）の凹入部（２４０）の内側面（２４４）との間に親水性フィルター（１２４）が位置して固定される。しかしながら、本発明はフィルターハウジングが上部フィルターハウジングと下部フィルターハウジングが着脱可能に結合されたことに制限されるものでなく、一体に成型された多様な変形例も含むものであることを本発明が属する技術分野の当業者ならば容易に理解できるはずである。
【００４５】
したがって、図３に示すように、親水性フィルター（１２４）はフィルターハウジングの内部を上部フィルターハウジングの空間（２２２）と下部フィルターハウジングの空間（１２２）とに分離するようになる。また、親水性フィルター（１２４）は流入口（１２０）を通し流入された注射液のガラス破片のような固体不純物（Ｐ）を下部フィルターハウジングの空間（１２２）にて取り除いた上、注射液を上部フィルターハウジングの空間（２２２）に送り込むようになる（図３参照）。一方、親水性フィルター（１２４）では固体不純物（Ｐ）を取り除き、液体を通過させるものとして当業界に広く知られており、通常購入が可能なものであれば、どれでも使用が可能である。
【００４６】
一方、本発明の第１の実施例のフィルター装置（１００）において、下部フィルターハウジング（１０）内部の垂直方向への空間（１２２）の横断面積は、親水性フィルター（１２４）が横断しながら位置できる程度の大きさを有さなければならない。好ましくは、下部フィルターハウジング（１０）内部の垂直方向への空間（１２２）の横断面積と親水性フィルター（１２４）の表面積は大きいほど良い。このようにすれば親水性フィルター（１２４）が固体不純物（Ｐ）を取り除き、かつ流入管（１２）を通し流入された注射液の流速が遅くならなくなる。
【００４７】
また、本発明の第１の実施例のフィルター装置（１００）において、上部フィルターハウジング（２０）の上面（２８）は、突出し枠部分（２８ａ）と凹とした部分（２８ｂ）からなるが、このような上面（２８）には少なくとも１つの気体排出孔（２２４）が形成されている（図２および図３参照）。
【００４８】
上部フィルターハウジング（２０）にて前記気体排出孔（２２４）が形成された周囲には気体排出部（２９）が結合される気体排出部収納部（２６）が提供される。気体排出部収納部（２６）には気体排出孔（２２４）の周囲に環状に上部に突出されたフィルター座面（２６ｂ）が形成されており、このようなフィルター座面（２６ｂ）上には気体排出部（２９）の疏水性フィルター（２９ｂ）が位置するようになる。
【００４９】
また、気体排出部収納部（２６）にはフィルター座面（２６ｂ）の周囲に一定間隔をおいて突出した環状の追加突出部（２６ａ）が形成されている。これによって疏水性フィルター（２９ｂ）が離脱さらずに固定されるよう気体排出部収納部（２６）には、フィルター座面（２６ｂ）と環状の追加突出部（２６ａ）との間に環状の凹溝（２６ｃ）が形成されるが、前述したような孔（２２８）が形成された固定手段（２９ａ）には環状の凹溝（２６ｃ）と対応する形状の突出部（２９ｃ）が下方方向に環状に延長して形成されている。したがって、気体排出部（２９）の固定手段（２９ａ）の突出部（２９ｃ）を上部フィルターハウジング（２０）の気体排出部収納部（２６）に形成された環状の凹溝（２６ｃ）に嵌めると、気体排出部（２９）の疏水性フィルター（２９ｂ）が離脱されずに、固定されることができるようになる。
【００５０】
図３に示すように、親水性フィルター（１２４）を通過して固体不純物（Ｐ）が取り除かれた注射液内の気体（Ｇ）は、上部フィルターハウジング空間（２２２）から上部フィルターハウジング（２０）の上面に形成された少なくとも１つの気体排出孔（２２４）、このような気体排出孔（２２４）と疏水性フィルター（２９ｂ）との間の空間（２２６）、疏水性フィルター（２９ｂ）、また、固定手段（２９ａ）に形成された孔（２２８）を通し外部に排出されるようになる。一方、疏水性フィルター（２９ｂ）では液体（Ｌ）を通過させず、かつ気体（Ｇ）を通過させるものとして当業界に広く知られており、通常購入が可能なものであればどれでも使用が可能である。
【００５１】
次に、本発明の第１の実施例のフィルター装置（１００）は、流出管（２２）に注射液内の気体（Ｇ）が流入されるのを遮断する遮断部材（３０）を含む。前述したように、従来のフィルター装置では注射液内の空気が気体親和型フィルター、すなわち疏水性フィルターを通過した後、空気排出孔を通し完全に排出されずに患者に連結された延長チューブに一部が流入してしまうという問題があった。
【００５２】
本発明の第１の実施例のフィルター装置（１００）では、このような問題点を解決すべく上部フィルターハウジング（２０）内部に流出管（２２）を遮断すべく遮断部材（３０）が設けられる。遮断部材（３０）の中心部には長手方向に通路（３８ａ、３８ｂ、３８ｃ）が形成されており、該通路を通し注射液（Ｌ）が流出管（２２）に導入され流れ出るようになる（図３ないし図５参照）。
【００５３】
図３ないし図５に示すように、遮断部材（３０）は上部フィルターハウジング（２０）内に位置する。遮断部材（３０）は上部フィルターハウジング（２０）内部にて注射液と接触する先端部（３２）と、流出管（２２）に結合される流出管結合部（３４）と、流出管（２２）に連結される延長チューブと接触する末端部（３６）を含む。選択的に、本発明の第１の実施例のフィルター装置（１００）では、延長チューブ（６０）内に毛細管（４０）が設けられることができるが、この時、前記遮断部材（３０）の末端部（３６）は毛細管（４０）と接触するようになる。
【００５４】
本発明の第１の実施例のフィルター装置（１００）において、前記遮断部材（３０）の先端部（３２）は上部フィルターハウジング（２０）内部に向かって次第にその大きさが小さくなるテーパ状をなし、その内径は末端部（３６）の内径より小さいとすることができる（図５参照）。しかし、本発明はこれに制限されるものでなく、先端部（３２）が長い円筒状をなすこと、先端部（３２）の内径および末端部（３６）の内径がほぼ同じ形態など、多様な形態の遮断部材を含むことはもちろんである。
【００５５】
本発明の第１の実施例のフィルター装置（１００）ではこのような遮断部材（３０）の構成により流出管（２２）に液体内の気体が流入されるのを効果的に遮断することができる。すなわち、上部フィルターハウジング空間（２２２）の広い空間において、流動する注射液が突然狭くなる遮断部材（３２）の通路へ流入された時、遮断部材（３０）の先端部（３２）に注射液が一度接触すると注射液の液体成分（Ｌ）は長手方向通路（３８ａ、３８ｂ、３８ｃ）を通し流出管（２２）に導入され流れ出ることができるが、注射液内の気体（Ｇ）は遮断部材（３０）の先端部（３２）に注射液の液体成分が一旦接触すると遮断部材（３０）の長手方向通路（３８ａ、３８ｂ、３８ｃ）が狭いために流入されなくなる。したがって、本発明のフィルター装置（１００）は注射液内に含まれた気体（Ｇ）および固体パーティクル（Ｐ）のような不純物を効果的に取り除き、かつ注射液内の気体（Ｇ）がフィルター装置に連結された延長チューブ（６０）に流入されることのない効果が表れる。
【００５６】
また、図４および図５に示すように、遮断部材（３０）の長手方向通路（３８ａ、３８ｂ、３８ｃ）は、上部フィルターハウジング（２０）内部から流出管（２２）に向かうにつれてその内径が少しずつ大きくなるテーパ状を有することができる。例えば、遮断部材（３０）の先端部（３２）側の長手方向通路の内径（ｄ１）は略０．４ｍｍであり、遮断部材（３０）の末端部（３６）側の長手方向通路の内径（ｄ２）は略０．８ｍｍとすることができる（図５参照）。このように遮断部材（３０）の長手方向通路（３８ａ、３８ｂ、３８ｃ）が上部フィルターハウジング（２０）内部から流出管（２２）に向かうにつれてその内径が少しずつ大きくなるテーパ状を有した場合、液体（Ｌ）は流出管（２２）に導入され、容易に流れ出るようにされ、かつ気体（Ｇ）を効果的に遮断するというさらなる長所がある。
【００５７】
しかしながら、本発明は前述したような遮断部材（３０）の寸法と形状に制限されるものでなく、同一または類似の機能を表す多様な寸法と形状を有する変形例を含むものであることを本発明が属する技術分野の当業者であれば容易に理解するはずである。
【００５８】
また、図３および図４に示すように、流出管（２２）の内壁には離脱防止顎（２２０ａ、２２０ｂ）が形成されており、遮断部材（３０）の流出管結合部（３４）には環状の凹溝が形成されている。具体的に、遮断部材（３０）の流出管結合部（３４）の凹溝は上部フィルターハウジング（２０）に連結した流出管（２２）の離脱防止顎（２２０ａ、２２０ｂ）に引っ掛けの形で結合され遮断部材（３０）が流出管（２２）から離脱するのを防止することができる。また、このような構成により注射液内の気体（Ｇ）が流出口（２２０ｃ）を通し流出管（２２）に流入されるのを遮断し、窮極的には延長チューブ（６０）に流入されるのを効果的に遮断することができる。
【００５９】
しかしながら、本発明はこれに制限されるものでなく、前記遮断部材（３０）の先端部（３２）および流出管結合部（３４）が長い円筒状をなすことを含むことはもちろんである。このような場合には前記遮断部材（３０）の流出管結合部（３２）の外径は離脱防止顎（２２０ａ、２２０ｂ）の内径にぴったりに形成し、前記遮断部材（３０）の末端部（３６）の外径は流出管（２２）の内径にぴったりに形成すればよい。
【００６０】
また、図３に示すような本発明の第１の実施例のフィルター装置（１００）において、遮断部材（３０）の末端部（３６）は流出管（２２）に連結された延長チューブ（６０）内に設けられた毛細管（４０）と面接触により密着して接触している。
【００６１】
図４に示すように、延長チューブ（６０）は拡張部（６２）と延長部（６４）とからなる。延長チューブ（６０）の拡張部（６２）は２段で段差つけの状に形成され、最外郭の段差つけの部分（６２ａ）は流出管（２２）の外周面に嵌められ密着結合され、内側の段差つけの部分（６２ｂ）は後述する“Ｏ”文字状の環（５０）の後面（５６）が密着結合される（図３参照）。延長チューブ（６０）の延長部（６４）の内部には通路（６６）が形成されている。また、延長チューブ（６０）内には毛細管（４０）が固定支持され、毛細管（４０）からの注射液（Ｌ）が通過可能な端段（６８）が設けられている。端段（６８）には小さな孔（６９）が形成されており、毛細管（４０）を通過した注射液（Ｌ）がこのような小さな孔（６９）を通じて流出される。
【００６２】
図３および図６に示すように、毛細管（４０）は“Ｏ”文字状の環（５０）の孔（５２）に嵌められ、“Ｏ”文字状の環（５０）の前面（５４）は、流出管（２２）の後面の傾斜面に密着し、“Ｏ”文字状の環（５０）の後面（５６）は、延長チューブ（６０）の拡張部（６２）の内側の段差つけの部分（６２ｂ）に密着結合される。また、“Ｏ”文字状の環（５０）の孔（５２）に嵌められた毛細管（４０）の一端は流出管（２２）内に収納され、他端は延長チューブ（６０）の延長部（６４）の通路（６６）に嵌められ、かつ端段（６８）に支持されて固定される。この時、“Ｏ”文字状の環（５０）の孔（５２）に嵌められた毛細管（４０）の一端は“Ｏ”文字状の環（５０）の固定によりしっかり位置が固定され、流出管（２２）を通し遮断部材（３０）の末端部（３６）に密着して接触するようになる。このように“Ｏ”文字状の環（５０）の孔（５２）に嵌められた毛細管（４０）の一端と遮断部材（３０）の末端部（３６）の密着接触により毛細管（４０）がフィルター装置（１００）に密封結合されるため、別途に接着剤を使用して毛細管（４０）をフィルター装置（１００）のチューブに結合する必要がなくなる。
【００６３】
一方、本発明の第１の実施例のフィルター装置（１００）において、遮断部材（３０）はシリコン材質やプラスチック材質で形成されることが好ましく、より一層好ましいのは、シリコン材質が良い。
【００６４】
以下では、前述したような本発明の第１の実施例のフィルター装置（１００）の変形例である第２の実施例のフィルター装置（１００’）について説明する。一方、本発明の第２の実施例に対する説明に先立ち、前述した第１の実施例と同じ構成要素については同じ図面符号を振り、その詳細な説明を一部省略することを明らかにする。
【００６５】
図７ないし図１１に示すように本発明の第２の実施例のフィルター装置（１００’）もやはり点滴瓶等に連結され延長されるチューブと、患者側に挿入される注射針やカテーテルなどが脱着可能に結合される末端接続具または延長チューブとの間に設けられる。図９に示すように、本発明の第２の実施例のフィルター装置（１００’）は大きく流入管（１２）と、気体排出孔（２２４’）が形成された下部フィルターハウジング（１０）と、親水性フィルター部（１２４）と、気体排出孔（２２４’）が形成された上部フィルターハウジング（２０）と、流出管（２２）と、遮断部材（３０’）とから構成されている。また、本発明の第２の実施例のフィルター装置（１００’）の下部フィルターハウジング（１０）および上部フィルターハウジング（２０）には各々前記気体排出孔（２２４’）に対応して疏水性フィルター（２９ｂ’）と、前記疏水性フィルター（２９ｂ’）を前記下部フィルターハウジング（１０）および上部フィルターハウジング（２０）の内部に固定させ、気体を外部に排気する孔（２２８’）が形成された固定手段（２９ａ’）を含む気体排出部（２９’）が提供されている。
【００６６】
図７ないし図１１に示された流入管（１２）および流入口（１２０）の構成、そして下部フィルターハウジング（１０）および上部フィルターハウジング（２０）が各々流入管（１２）および流出管（２２）と連結されている構成は、本発明の第１の実施例のフィルター装置（１００）と実質的に同一のものであるため、その詳細な説明を省略する。
【００６７】
図９ないし図１１に示すように、前記下部フィルターハウジング（１０）には円盤状の胴体（１４）が形成されているが、胴体（１４）の最外郭部は略環状の突出部（１６ｄ）に形成されており、前記外郭部の突出部（１６ｄ）から一定間隔をおいて上部に突出された環状の追加突出部（１６ａ）が形成されている。これに伴い突出部（１６ａ、１６ｄ）間には環状の凹入部（１６ｃ）が形成されている。
【００６８】
図９ないし図１１に示すように、上部フィルターハウジング（２０）もやはり円盤状の胴体（２４）が形成されているが、上部フィルターハウジング（２０）下面には内側から略環状の凹入部（２４０）と略環状の突出部（２４２）が形成されている。前述したような下部フィルターハウジング（１０）の突出部（１６ａ）および凹入部（１６ｃ）は各々上部フィルターハウジング（２０）の凹入部（２４０）および突出部（２４２）に嵌め合わすことにより、フィルターハウジングが着脱可能に結合されることができる。この時、下部フィルターハウジング（１０）の突出部（１６ａ）の内側面（１６ｂ）と上部フィルターハウジング（２０）の凹入部（２４０）の内側面（２４４）との間に親水性フィルター（１２４）が位置して固定される。しかしながら、本発明はフィルターハウジングが上部フィルターハウジングと下部フィルターハウジングが着脱可能に結合されたものに制限されるものでなく、一体に成型された多様な変形例も含むものであることを本発明が属する技術分野の当業者ならば容易に理解することができるはずである。
【００６９】
したがって、図１０に示すように、親水性フィルター（１２４）はフィルターハウジングの内部を上部フィルターハウジングの空間（２２２）と下部フィルターハウジングの空間（１２２）とに分離する。そして親水性フィルター（１２４）は流入口（１２０）を通し流入された注射液のガラス破片のような固体不純物（Ｐ）を下部フィルターハウジングの空間（１２２）で取り除いた後、注射液を上部フィルターハウジングの空間（２２２）に送り出すが、この時、注射液内に含まれた気体（Ｇ）は下部フィルターハウジング（１０）に提供されていた気体排出部（２９’）および気体排出孔（２２４’）を通し事前に取り除くようになる（図１０参照）。一方、親水性フィルター（１２４）では固体不純物（Ｐ）を取り除き、液体を通過させるものとして当業界に広く知られており、通常購入可能なものであれば、どれでも使用が可能である。また、気体排出部（２９’）を構成する疏水性フィルター（２９ｂ’）では液体（Ｌ）を通過させず、かつ気体（Ｇ）は通過させるものとして当業界に広く知られており、通常購入可能なものであれば、どれでも使用が可能である。
【００７０】
また、本発明の第２の実施例のフィルター装置（１００’）において、下部フィルターハウジング（１０）の下面（１８）は突出し枠部分（１８ａ）、凹とした部分（１８ｂ）および略円盤状の中央部（１８ｃ）からなされているが、このような下面（１８）を構成する中央部（１８ｃ）には少なくとも１つの気体排出孔（２２４’）が形成されている（図８ないしおよび図１１参照）。
【００７１】
下部フィルターハウジング（１０）の内部には気体排出孔（２２４’）が形成された周囲に気体排出部収納部（２６’）が形成されているが、気体排出部収納部（２６’）は略円形に凹としたフィルター座面と前記フィルター座面の周囲に形成された段差付け挿入部からなされている。また、気体排出部（２９’）の孔（２２８’）が形成された固定手段（２９ａ’）は気体排出部収納部（２６’）の段差付け挿入部に対応して段差付けになるよう形成されている。したがって、気体排出部収納部（２６’）のフィルター座面に気体排出部（２９’）の疏水性フィルター（２９ｂ’）を定着させ、段差付けになるよう形成された気体排出部（２９’）の固定手段（２９ａ’）を前記段差付け挿入部に嵌めれば、疏水性フィルター（２９ｂ’）は離脱されずに固定させることができるようになる。
【００７２】
また、下部フィルターハウジング（１０）に一次的に流入された注射液（Ｌ）内の気体（Ｇ）は、下部フィルターハウジング（１０）の内部に設けられた気体排出部（２９’）に形成された孔（２２８’）、疏水性フィルター（２９ｂ’）、また、下部フィルターハウジング（１０）に形成された少なくとも１つの気体排出孔（２２４’）を通し外部に排出される。その次に、親水性フィルター（１２４）は固体不純物（Ｐ）を取り除き、空気が一次的に除去された注射液（Ｌ）を上部フィルターハウジング（２０）の空間（２２２）に送り出されるようになるものである。
【００７３】
一方、本発明の第２の実施例のフィルター装置（１００’）において、下部フィルターハウジング（１０）の内部の垂直方向への空間（１２２）の横断面積は、親水性フィルター（１２４）が横断しながら位置できる程度の大きさを有さなければならない。好ましくは、下部フィルターハウジング（１０）の内部の垂直方向への空間（１２２）の横断面積と親水性フィルター（１２４）の表面積は大きいほど良い。このようにすれば親水性フィルター（１２４）が固体不純物（Ｐ）を取り除きながらも、流入管（１２）を通し流入された注射液の流速が遅くならない。
【００７４】
また、本発明の第２の実施例のフィルター装置（１００’）において、上部フィルターハウジング（２０）の上面（２８）は突出し枠部分（２８ａ）と凹とした部分（２８ｂ）からなされているが、このような上面（２８）には少なくとも１つの気体排出孔（２２４’）が形成されている（図７、図９ないし図１１参照）。
【００７５】
上部フィルターハウジング（２０）の内部もやはり気体排出孔（２２４’）が形成された周囲に気体排出部収納部（２６’）が形成され、気体排出部収納部（２６’）は略円形に凹としたフィルター座面と前記フィルター座面の周囲に形成された段差付け挿入部からなされている。また、気体排出部（２９’）の孔（２２８’）が形成された固定手段（２９ａ’）は気体排出部収納部（２６’）の段差付け挿入部に対応して段差付けになるよう形成されている。したがって、気体排出部収納部（２６’）のフィルター座面に気体排出部（２９’）の疏水性フィルター（２９ｂ’）を定着させ、段差付けになるよう形成された気体排出部（２９’）の固定手段（２９ａ’）を前記段差付け挿入部に嵌めれば疏水性フィルター（２９ｂ’）は離脱されずに、固定させることができるようになる。
【００７６】
一方、親水性フィルター（１２４）を通過して上部フィルターハウジング（２０）に流入された注射液は、固体不純物（Ｐ）が取り除かれ、一次的に気体（Ｇ）がある程度取り除かれた状態である。しかし、まだ残余空気（気体）が残っている場合もあり得る。したがって、図１０に示すように、注射液の残余気体（Ｇ）は上部フィルターハウジング空間（２２２）から上部フィルターハウジング（２０）の内部に設けられた気体排出部（２９’）の固定手段（２９ａ’）に形成された孔（２２８’）、疏水性フィルター（２９ｂ’）、また、上部フィルターハウジング（２０）に形成された少なくとも１つの気体排出孔（２２４’）を通し外部に排出されるようになる。
【００７７】
一方、気体排出部（２９’）を構成する疏水性フィルター（２９ｂ’）では、液体（Ｌ）は通過させず、かつ気体（Ｇ）を通過させるものとして当業界に広く知られたものであって、通常購入可能なものであれば、どれでも使用が可能である。
【００７８】
次に、本発明の第２の実施例のフィルター装置（１００’）は、流出管（２２）に注射液内の気体（Ｇ）が流入されるのを遮断する遮断部材（３０’）を含む。前述したように、従来のフィルター装置では注射液内の空気が気体親和型フィルター、すなわち、疏水性フィルターを通過した後、空気排出孔を通し完全に排出されず、患者に連結された延長チューブに一部が流入されるという問題があった。
【００７９】
本発明の第２の実施例のフィルター装置（１００’）もやはりこのような問題点を解決すべく上部フィルターハウジング（２０）内部に流出管（２２）を遮断するように遮断部材（３０’）が設けられる。遮断部材（３０’）の中心部には長手方向に通路（３８ａ’、３８ｂ’、３８ｃ’）が形成されており、該通路を通し注射液（Ｌ）が流出管（２２）に導入され流れ出るようになる（図１０および図１１参照）。
【００８０】
図１０および図１１に示すように、遮断部材（３０’）は上部フィルターハウジング（２０）内に位置する。遮断部材（３０’）は上部フィルターハウジング（２０）の内部で注射液と接触する先端部（３２’）と、流出管（２２）に結合される流出管結合部（３４’）と、流出管（２２）に連結される延長チューブと接触する末端部（３６’）を含む。本発明の第２の実施例のフィルター装置（１００’）では第１の実施例とは異なり、遮断部材（３０’）が延長チューブと直接接続されて連結される。したがって、本発明の第２の実施例のフィルター装置（１００’）では第１の実施例の毛細管（４０）と“Ｏ”文字状の環（５０）のような構成が省略されることができる。
【００８１】
本発明の第２の実施例のフィルター装置（１００’）において、前記遮断部材（３０’）の先端部（３２’）および流出管結合部（３４’）は長い円筒状をなしており、先端部（３２’）の内径および末端部（３６’）の内径がほぼ同じである。
【００８２】
また、図１０および図１１に示すように、流出管（２２）の内壁には離脱防止顎（２２０ａ、２２０ｂ）が形成されているが、遮断部材（３０’）の流出管結合部（３４’）の外径は離脱防止顎（２２０ａ、２２０ｂ）の内径にぴったりに形成され、遮断部材（３０’）の末端部（３６’）の外径は流出管（２２）の内径にぴったりに形成されており、注射液内の気体（Ｇ）が流出口（２２０ｃ）を通し流出管（２２）に流入されるのを遮断し、窮極的には延長チューブに流入されるのを効果的に遮断することができる。
【００８３】
しかしながら、本発明はこれに制限されるものでなく、前述した第１の実施例の遮断部材（３０）を含む多様な形態の遮断部材を含むものであることはもちろんである。一方、本発明の第２の実施例のフィルター装置（１００’）において遮断部材（３０’）の役割は第１の実施例のフィルター装置（１００）における役割と同じであるため、これに対する詳細な説明は省略する。
【００８４】
一方、本発明の第２の実施例のフィルター装置（１００’）において、遮断部材（３０’）はシリコン材質やプラスチック材質で形成されることが望ましく、より一層好ましいのはシリコン材質が良い。
【００８５】
以上、本発明を前記実施例を挙げて説明したが、本発明はこれに制限されるものでない。当業者ならば本発明の趣旨および範囲を外れることなく、修正、変更することができ、このような修正と変更もまた本発明に属するものであることを知ることができる。
【図１】
0005614414.tif 000002
【図２】
0005614414.tif 000003
【図４】
0005614414.tif 000004
【図５（ａ）】
0005614414.tif 000005
【図５（ｂ）】
0005614414.tif 000006
【図６（ａ）】
0005614414.tif 000007
【図６（ｂ）】
0005614414.tif 000008
【図７】
0005614414.tif 000009
【図８】
0005614414.tif 000010
【図９】
0005614414.tif 000011
【図１１】
0005614414.tif 000012
【図１２】
0005614414.tif 000013
【図１３】
0005614414.tif 000014
【図３】
0005614414.tif 000015
【図１０】
0005614414.tif 000016